(57)【要約】  【課題】間口を広くして有効的に収納物の出し入れが行なえる収納ユニットのダンパーの取付構造を提供する。  【解決手段】収納ユニット本体１と扉２からなる収納ユニット１２の扉２の衝撃を抑えるダンパー３の取付構造である。収納ユニット本体１は天板１ａと側板１ｂと底板１ｃからなる箱型形状で略中央部に中間棚１１を設け、収納ユニット本体１の間口幅Ｔで形成される。片方の側板１ｂの上方と下方に扉２を開閉支持する二組のヒンジ９ａ、９ｂが設けられ、側板１ｂに設けられるダンパー３はハウジング３ｂに保持されて、上方のヒンジ９ａと天板１ａに囲まれた領域における上方のヒンジ９ａ近傍に設けられる。ダンパー３の突出高さＨ２は、上方のヒンジ９ａの突出高さＴ１を越えない高さで形成される。【選択図】図１
2007224614.tif 000002
【特許請求の範囲】
【請求項１】
収納ユニット本体と扉からなる収納ユニットの扉の衝撃を抑えるダンパーの取付構造であって、
前記収納ユニット本体は天板と側板と底板を備える箱型形状で、前記側板の上方と下方に前記扉を開閉支持するヒンジが設けられ、
前記上方のヒンジと天板間又は前記下方のヒンジと底板間における前記側板にダンパーが設けられることを特徴とするダンパー取付構造。
【請求項２】
請求項１に記載のダンパー取付構造であって、前記ダンパーは前記ヒンジの近傍に設けられることを特徴とするダンパー取付構造。
【請求項３】
収納ユニット本体と扉からなる収納ユニットの扉の衝撃を抑えるダンパーの取付構造であって、前記収納ユニット本体は天板と側板と底板を備える箱型形状で、前記側板の上方と下方に前記扉を開閉支持するヒンジが設けられ、前記上方のヒンジの下部近傍又は前記下方のヒンジの上部近傍における前記側板にダンパーが設けられることを特徴とするダンパー取付構造。
【請求項４】
請求項１乃至請求項３のいずれか１項に記載のダンパー取付構造であって、前記ダンパーの前記側板からの突出高さは前記ヒンジの突出高さを越えない高さで形成されることを特徴とするダンパー取付構造。
【発明の詳細な説明】
【技術分野】
【０００１】
本発明は、収納ユニットの扉を閉めるときの衝撃を抑えるダンパー取付構造に関し、詳しくは、ダンパーによる影響を軽減し、収納ユニットの間口を広くして有効的に収納物の出し入れが行なえる技術に関する。
【背景技術】
【０００２】
従来、収納ユニットの扉を閉めるときに扉による衝撃力及び衝撃音が発生するので、耳障りであるとともに収納ユニットの耐久性に影響を及ぼすという問題があった。
【０００３】
このような問題を解決する方法が特許文献１に開示されている。図３、図４に示すように、特許文献１の収納ユニット１２は、収納ユニット本体１と扉２からなり、収納ユニット本体１は天板１ａと側板１ｂと底板１ｃからなる箱型形状である。ここで、収納ユニット本体１の間口幅Ｔ、天板１ａと中間棚１１間の間口高さＨである。
【０００４】
扉２は二組のヒンジ９ａ、９ｂを介して収納ユニット本体１に連結される。そして、ダンパー取付構造５は、収納ユニット本体１の天板１ａ下面に取付けられるダンパー３を一体に備えたラッチ本体６と、扉２側に取付けられるダンパー当て凸部４を一体に備えたラッチ受部７とで構成される。
【０００５】
ラッチ本体６のハウジング６ａの上面部はダンパー３のハウジング３ａ（高さＨ２）の底面部に固定され、ダンパー３のハウジング３ａの上面部は固定ボス１０で収納ユニット本体１の天板１ａの下面に固定される。ラッチ本体６全体は天板１ａ下面から高さＨ１で突出する。
【０００６】
ダンパー３はロッド状に形成され、ダンパー３の先端は、扉２を開いたときには仮想線で示すように、収納ユニット本体１の開口の前面よりも奥側に入り込んだ位置にあり、扉２の閉時には扉２側のダンパー当て凸部４によって矢印Ｑ方向に押されて実線で示す位置まで後退するようになっている。このダンパー３の後退によって扉２の閉時に扉２の衝撃を抑えることができる
ところが、ダンパー３が収納ユニット本体１の天板１ａ下面に取付けられるので、例えば、箱形状の品物を収納する場合には天板１ａと中間棚１１間の間口高さＨがラッチ本体６によって実質的に減少するので、有効間口高さＨ３＝Ｈ−Ｈ１となる。このため、収納容積が（Ｈ１／Ｈｘ１００）％減少してしまうという問題があった。
【０００７】
この問題を解決するために、図５に示すように、ダンパー３をハウジング３ｂを介してヒンジ９ａに重ねて取付ける方法が考案されていた。なお、ハウジング３ｂの高さはハウジング３ａの高さＨ２と同じ高さである。
【特許文献１】特開２００５−１８００５０号公報
【発明の開示】
【発明が解決しようとする課題】
【０００８】
ところが、この方法でも、ヒンジ９ａの高さＴ１にダンパー３を保持するハウジング３ｂの高さＨ２が加わるので、箱形状の品物を収納する場合には両側板１ｂ、１ｂ間の間口幅Ｔは有効間口幅Ｔ３＝Ｔ−Ｔ２、Ｔ２＝Ｔ１＋Ｈ２となってしまう。このため、ヒンジ９ａだけの場合と比較すると、やはり、納容積が、｛Ｈ２／（Ｔ−Ｔ１）ｘ１００｝％減少してしまうという問題があった。
【０００９】
そこで、本発明はかかる従来技術の問題に鑑みなされたものであって、間口を広くして有効的に収納物の出し入れが行なえる収納ユニットのダンパー取付構造を提供することを目的とする。
【課題を解決するための手段】
【００１０】
請求項１の発明は、収納ユニット本体と扉からなる収納ユニットの扉の衝撃を抑えるダンパーの取付構造であって、前記収納ユニット本体は天板と側板と底板を備える箱型形状で、前記側板の上方と下方に前記扉を開閉支持するヒンジが設けられ、前記上方のヒンジと天板間又は前記下方のヒンジと底板間における前記側板にダンパーが設けられることを特徴としている。
【００１１】
請求項２の発明は、請求項１に記載のダンパー取付構造であって、前記ダンパーは前記ヒンジの近傍に設けられることを特徴としている。
【００１２】
請求項３の発明は、収納ユニット本体と扉からなる収納ユニットの扉の衝撃を抑えるダンパーの取付構造であって、前記収納ユニット本体は天板と側板と底板を備える箱型形状で、前記側板の上方と下方に前記扉を開閉支持するヒンジが設けられ、前記上方のヒンジの下部近傍又は前記下方のヒンジの上部近傍における前記側板にダンパーが設けられることを特徴としている。
【００１３】
請求項４の発明は、請求項１乃至請求項３のいずれか１項に記載のダンパー取付構造であって、前記ダンパーの前記側板からの突出高さは前記ヒンジの突出高さを越えない高さで形成されることを特徴としている。
【発明の効果】
【００１４】
請求項１記載の発明によれば、収納ユニット本体と扉からなる収納ユニットの扉の衝撃を抑えるダンパーの取付構造であって、前記収納ユニット本体は天板と側板と底板を備える箱型形状で、前記側板の上方と下方に前記扉を開閉支持するヒンジが設けられ、前記上方のヒンジと天板間又は前記下方のヒンジと底板間における前記側板にダンパーが設けられるので、前記ダンパーの前記側板からの突出による間口幅の減少する影響度が、既に取付されている前記ヒンジの突出高さを利用できる分だけ緩和させることができる。このため箱形状の品物を収納する場合の収納ユニット本体の有効間口幅を広くすることができるので収納物の出し入れが容易に行なえる。また、収納スペースが増加する。
【００１５】
請求項２の発明は、請求項１に記載のダンパー取付構造であって、前記ダンパーは前記ヒンジの近傍に設けられるので、前記ダンパーと前記ヒンジが略同一箇所に纏められるので、上下方向に有効的に広く間口を得ることができるので収納物の出し入れが容易に行なえる。また、収納スペースが増加する。
【００１６】
請求項３の発明は、収納ユニット本体と扉からなる収納ユニットの扉の衝撃を抑えるダンパーの取付構造であって、前記収納ユニット本体は天板と側板と底板を備える箱型形状で、前記側板の上方と下方に前記扉を開閉支持するヒンジが設けられ、前記上方のヒンジの下部近傍又は前記下方のヒンジの上部近傍における前記側板にダンパーが設けられるので、前記ダンパーと前記ヒンジが略同一箇所に纏められるので、上下方向に有効的に広く間口を得ることができるので収納物の出し入れが容易に行なえる。また、収納スペースが増加する。
【００１７】
請求項４の発明は、請求項１乃至請求項３のいずれか１項に記載のダンパー取付構造であって、前記ダンパーの前記側板からの突出高さは前記ヒンジの突出高さを越えない高さで形成されるので、前記請求項１の発明の効果と同様の効果が得られる。
【発明を実施するための最良の形態】
【００１８】
以下に、本発明の実施形態を図１、図２に基づいて説明する。なお、図４、図５に示した構成と同等部分には適宜に同一符号を付して説明する。
【００１９】
＜ダンパー取付構造の構成＞
図１、図２に示すように、本発明のダンパー取付構造２０は、収納ユニット本体１と扉２からなる収納ユニット１２において、扉２の衝撃を抑えるダンパー３が収納ユニット本体１に取付けられる構成である。
【００２０】
収納ユニット本体１は天板１ａと側板１ｂと底板１ｃからなる箱型形状で底板１ｃの下部には収納ユニット１２の据付高さ調整用のアジャスター１５が設けられる。さらに、収納ユニット本体１の高さ方向の略中央部に一枚の中間棚１１を設け、収納ユニット本体１の間口幅Ｔ、天板１ａと中間棚１１間の間口高さＨで形成される。ここで、中間棚１１は固定式ではなく、側板１ｂに設けられる図示しない複数の取付け孔を介して中間棚１１用の支持具を移動することにより上下位置調節可能である。
【００２１】
片方の側板１ｂの上方と下方に扉２を開閉支持する二組のヒンジ９ａ、９ｂが設けられ、このヒンジ９ａ、９ｂを介して扉２は収納ユニット本体１に連結される。なお、二組のヒンジ９ａ、９ｂにはバネ等の弾性体が内蔵されており常時扉２を閉まる方向に引き込む力を備えている。
【００２２】
また、側板１ｂに設けられるダンパー３はハウジング３ｂに保持されて、上方のヒンジ９ａと天板１ａに囲まれた領域で、上方のヒンジ９ａ近傍に設けられる。ダンパー３のハウジング３ｂを含む側板１ｂからの突出高さＨ２は、上方のヒンジ９ａの突出高さＴ１を越えない高さ（Ｈ２≦Ｔ１）で形成される。
【００２３】
ダンパー３はロッド状に形成され、ダンパー３の先端は扉２を開いたときには収納ユニット本体１の開口の前面よりも少し前方の位置にあり、扉２の閉時には扉２によって押し込まれて後退することで扉２の衝撃を吸収するようになっている。
【００２４】
ダンパー３の材質は扉２の閉じる速度、衝撃を減衰させるものであれば特に限定はなく、例えば、先端部がゴム等の弾性材で形成され、後端部に衝撃を吸収するバネ抵抗、流体抵抗、空気抵抗等を備える材料が配置される。 
なお、扉２の衝撃が余り大きくない場合は、扉２側にダンパー当て用のパッドを省いてもよいが、好ましくは、ダンパー３が当接する扉２側の領域に図示しないダンパー当て用のパッドが設けられる。
【００２５】
＜ダンパー取付構造の作用＞
上記のように、ヒンジ９ａの高さＴ１とダンパー３を保持するハウジング３ｂの高さＨ２との関係がＨ２≦Ｔ１なので、ハウジング３ｂはヒンジ９ａよりも収納ユニット本体１の内部側に突出しない。このため、箱形状の品物を収納する場合の両側板１ｂ間の間口幅Ｔの有効間口幅はＴ４＝Ｔ−Ｔ１であり、ヒンジ９ａだけの状態と同じである。このため、収納容積はダンパー３を付ける以前の状態と変わらず同じである。
【００２６】
このため、ダンパー３によるデッドスペースを狭くできるので、ダンパー３に影響されず間口を広く保持することができるので収納物の出し入れを有効的に行なうことができる。
【００２７】
ヒンジ９ａとヒンジ９ｂの間にダンパー３が配置されないので、ヒンジ９ａとヒンジ９ｂ間の任意の位置に中間棚１１を設けることができるので中間棚取付時の利便性が増大する。
【００２８】
さらに、上記、二組のヒンジ９ａ、９ｂにはバネ等の弾性体が内蔵されており常時扉２を閉まる方向に引き込む力を備えていることに加えて、ヒンジ９ａ側にダンパー３を配置することで、ダンパー３に必要なストロークが短くできるとともに、ダンパー３が扉に当接してから扉が完全に閉まるまでの間に一定力のダンパー効果を保持している時間が長く取れるので、扉が瞬間的に停止することがなく、衝撃音を小さくすることができる。
【００２９】
このため、ダンパーの耐久性も向上する。また、ダンパー３の実効ストロークが短くて済む分だけストロークに余裕が得られるため、取付時の微調整が不要で作業性が向上する。
【００３０】
以上、本発明の実施形態を図面に基づいて説明したが、上記の実施例はいずれも本発明の一例を示したものであり、本発明はこれらに限定されるべきでないということは言うまでもない。
【００３１】
例えば、ダンパー３は下方のヒンジ９ｂと底板１ｃ間の領域に設けてもよい。また、ダンパー３を同時に上下二組設けても構わない。ダンパー３を上方のヒンジ９ａの下部近傍又は下方のヒンジ９ｂの上部近傍に設けてもよい。
【図面の簡単な説明】
【００３２】
【図１】本発明の実施形態における、ダンパー取付構造の状態を示す斜視図である。
【図２】本発明の実施形態における、図１のＡ−Ａ矢視図である。
【図３】従来の、ダンパー取付構造の状態を示す一部断面視側面図である。
【図４】従来の、ダンパー取付構造の取付状態を示す斜視図である。
【図５】従来の他の、ダンパー３とハウジング３ｂの取付状態を示す正面図である。
【符号の説明】
【００３３】
１  収納ユニット本体
１ａ  天板
１ｂ  側板
１ｃ  底板
２  扉
３  ダンパー
３ｂ  ハウジング
９ａ  ヒンジ
９ｂ  ヒンジ
１１  中間棚
１２  収納ユニット
Ｈ２  突出高さ
Ｔ  間口幅
Ｔ１  突出高さ
【図１】
2007224614.tif 000003
【図２】
2007224614.tif 000004
【図３】
2007224614.tif 000005
【図４】
2007224614.tif 000006
【図５】
2007224614.tif 000007